(57)【要約】【課題】トリミング装置のメンテナンス及びベントスピューの切断痕に起因するタイヤ外観上の問題点を改善しながら、金型離型時におけるベントスピューの切断を抑制することが可能なタイヤ成型用金型及び空気入りタイヤを提供する。 【解決手段】タイヤ成型面２ａ，３ａにエア抜き用のベントホール４を設けたタイヤ成型用金型１である。ベントホール４は、金型離型時にベントホール４内に残留するベントスピュー５に剪断力が作用する剪断方向Ａの幅Ｗ１より剪断方向Ａと直交する方向Ｂの幅Ｗ２が広くなる横断面形状を有している。【選択図】図２
2010017986.tif 000002
【特許請求の範囲】
【請求項１】
タイヤ成型面にエア抜き用のベントホールを設けたタイヤ成型用金型において、該ベントホールを金型離型時にベントホール内に残留するベントスピューに剪断力が作用する剪断方向の幅より該剪断方向と直交する方向の幅が広くなる横断面形状を有するように形成したタイヤ成型用金型。
【請求項２】
直交する方向の幅が最大となる位置が、前記横断面形状において剪断方向とは反対方向の反剪断側に位置する請求項１に記載のタイヤ成型用金型。
【請求項３】
前記横断面形状がタイヤ成型面から少なくともベントホールの最大幅の１／４の深さまで形成される請求項１または２に記載のタイヤ成型用金型。
【請求項４】
請求項１乃至３のいずれか１項に記載のタイヤ成型用金型を用いて製造した空気入りタイヤ。
【発明の詳細な説明】
【技術分野】
【０００１】
本発明は、タイヤ成型用金型及びそれを用いて製造した空気入りタイヤに関し、更に詳しくは、金型離型時におけるベントスピュー切れを抑制するようにしたタイヤ成型用金型及び空気入りタイヤに関する。
【背景技術】
【０００２】
タイヤ成型用金型は、加硫中のグリーンタイヤと金型との間に残留するエアを外部に逃がすために、タイヤ成型面にエア抜き用のベントホールが設けられている。加硫時にベントホールからエアが排出されると、そこに加硫中の未加硫ゴムが流れ込み、加硫終了時にベントホール内に加硫済みのゴム（ベントスピュー）が残留する。加硫が終了すると、加硫済みタイヤから金型を離型するが、その際に作用する剪断力によりベントホール内に残留するベントスピューが切断されてベントホール内に残り、ベントホールが詰まる問題がしばしば発生する。ベントホールが詰まるとそれを除去する作業が必要となり、生産効率が低下する。それを回避するために、そのまま使用すると、エアが残留して加硫故障を招く。
【０００３】
そこで、従来、ベントホールの径を大きくする手法が知られている（例えば、特許文献１参照）。このようにベントホールの直径を大きくすると、残留するベントスピューも太くなり、作用する剪断力に対して切断され難くなるが、その反面、タイヤに残ったベントスピューを切断するトリミング作業においてトリミング刃を交換する頻度が増加し、トリミング装置のメンテナンスが煩雑になるという問題がある。また、ベントスピューの切断痕が大きく残り、外観上好ましくないという問題もある。
【特許文献１】特開２００５−３２４４７７号公報
【発明の開示】
【発明が解決しようとする課題】
【０００４】
本発明の目的は、トリミング装置のメンテナンス及びベントスピューの切断痕に起因するタイヤ外観上の問題点を改善しながら、金型離型時におけるベントスピューの切断を抑制することが可能なタイヤ成型用金型及び空気入りタイヤを提供することにある。
【課題を解決するための手段】
【０００５】
上記目的を達成する本発明のタイヤ成型用金型は、タイヤ成型面にエア抜き用のベントホールを設けたタイヤ成型用金型において、該ベントホールを金型離型時にベントホール内に残留するベントスピューに剪断力が作用する剪断方向の幅より該剪断方向と直交する方向の幅が広くなる横断面形状を有するように形成したことを特徴とする。
【０００６】
本発明の空気入りタイヤは、上記タイヤ成型用金型を用いて製造することを特徴とする。
【発明の効果】
【０００７】
上述した本発明によれば、ベントホールの横断面形状において剪断方向と直交する方向の幅を広くすることにより、ベントスピューの単位幅当たりに作用する剪断力を下げることができる。そのため、切断の基点となる亀裂の発生を抑えることができるので、ベントスピュー切れの抑制が可能になる。
【０００８】
また、ベントホール全体を広くせずに、剪断方向と直交する方向の幅のみを広くすればよいので、ベントホール全体を広くしたものに比べ、タイヤに残ったベントスピューを切断するトリミング作業でのトリミング刃に対する負担を軽減することができる。その結果、トリミング刃の交換頻度を下げることができるので、トリミング装置のメンテナンス性の改善ができ、かつベントスピューの断面積もベントホール全体を広くしたものより小さくなるので、ベントスピューの切断痕に起因するタイヤの外観も改善することができる。
【発明を実施するための最良の形態】
【０００９】
以下、本発明の実施の形態について添付の図面を参照しながら詳細に説明する。
【００１０】
図１は、本発明のタイヤ成型用金型の一実施形態を示し、１はタイヤ成型用金型である。このタイヤ成型用金型１は、上型２と下型３とから構成されている。上型２と下型３はタイヤ成型面２ａ，３ａをそれぞれ有し、そのタイヤ成型面２ａ，３ａには金型外側に向けて延在するエア抜き用のベントホール４が設けられている。
【００１１】
タイヤ成型用金型１は、タイヤ加硫機に取り付けれ、上型２が矢印Ｒで示す上方向に離型することで、成型された加硫済みのタイヤを金型から取り出すことができるようになっている。
【００１２】
ベントホール４は、図２に示すように、金型離型時にベントホール４内に残留するベントスピュー５に剪断力が作用する剪断方向Ａの幅Ｗ１より剪断方向Ａと直交する方向Ｂの幅Ｗ２が広くなる横断面形状を有するように形成されている。即ち、図３に示すように、加硫終了時、ベントホール４内には流れ込んだ未加硫ゴムが硬化したベントスピュー５が残留し、上型２が上方向に向けて離型する際に、上型２のベントホール４内のベントスピュー５に対して矢印Ａで示す方向に剪断力が作用する。その剪断方向Ａに沿って切断した横断面形状（換言すると、ベントホール４が延在する方向と直交する平面でベントホール４を切断した横断面形状）において、剪断方向Ａの幅Ｗ１より剪断方向Ａと直交する方向Ｂの幅Ｗ２を広くするのである。
【００１３】
下型３のベントホール４も、図４に示すように、加硫終了時、ベントホール４内には流れ込んだ未加硫ゴムが硬化したベントスピュー５が形成され、下型３から加硫済みのタイヤを離型する際に、下型３のベントホール４内のベントスピュー５に対して矢印Ａで示す方向に剪断力が作用する。その剪断方向Ａに沿って切断した横断面形状（換言すると、ベントホール４が延在する方向と直交する平面でベントホール４を切断した横断面形状）において、剪断方向Ａの幅Ｗ１より剪断方向Ａと直交する方向Ｂの幅Ｗ２を広くするのである。このような形状のベントホール４は、通常、金型がアルミでできているので、ポンチ加工により容易に形成することができる。
【００１４】
本発明の空気入りタイヤは、上述したタイヤ成型用金型１を用いて製造されたタイヤである。この加硫済みのタイヤは、成形したグリーンタイヤをタイヤ加硫機に取り付けたタイヤ成型用金型１内にセットした後、グリーンタイヤを加圧加熱して加硫することにより得ることができる。
【００１５】
図３に示すベントスピュー５は金型離型時に下側から亀裂が発生し、図４に示すベントスピュー５は金型離型時に上側から亀裂が発生し、それらが剪断方向Ａに広がってベントスピュー５が切断されるが、本発明では、上述したように剪断方向Ａと直交する方向Ｂの幅Ｗ２を広くすることで、ベントスピュー５の単位幅当たりに作用する剪断力を低下させることができるので、亀裂の発生を抑制し、ベントスピュー５が切断されるのを防ぐことができる。
【００１６】
他方、ベントホール全体を広くせずに、剪断方向Ａと直交する方向Ｂの幅Ｗ２のみを広くすればよいため、ベントホール全体を広くしたものに比べ、タイヤに残ったベントスピュー５を切断するトリミング作業におけるトリミング刃に対する負担が軽減され、その交換する頻度を下げることができるので、トリミング装置のメンテナンスが煩雑になる問題を改善することができる。また、ベントスピュー５の断面積もベントホール全体を広くしたものより小さくなるので、ベントスピュー５の切断痕に起因するタイヤ外観も改善することができる。
【００１７】
本発明において、ベントホール５の横断面形状は、図２に示す形状に限定されず、図５に示す三角形状や図６に示す楕円形状であってもよく、剪断力が作用する剪断方向Ａの幅Ｗ１より剪断方向Ａと直交する方向Ｂの幅Ｗ２が広く、ベントスピュー５の単位幅当たりに作用する剪断力を下げることができれば、いずれの横断面形状であってもよい。好ましくは、図２，５に示すように、直交する方向Ｂの幅Ｗ２が最大となる位置Ｐが、横断面形状において剪断方向Ａとは反対方向の反剪断側に位置するようにするのが、ベントスピュー５の切断をより効果的に抑える上でよい。
【００１８】
剪断力が作用する剪断方向Ａの幅Ｗ１より剪断方向Ａと直交する方向Ｂの幅Ｗ２が広くなる横断面形状は、ベントホール４の深さ方向全域にわたって必ずしも形成される必要はなく、タイヤ成型面２ａ，３ａから少なくともベントホール４の最大幅（直交する方向Ｂの幅Ｗ２）の１／４の深さまで形成されるようにすればよい。その理由は、ベントスピュー５の切断が略この領域で発生するからである。
【００１９】
上記実施形態では、タイヤ成型用金型１が、上型２と下型３の２つ割りの金型構造をとるが、本発明は、一方のサイド部を成型する上型と他方のサイド部を成型する下型、及びトレッド部を成型する複数のセクターを備えたセクショナル型のタイヤ成型用金型であってもよい。
【実施例】
【００２０】
２つ割りのタイヤ成型用金型において、ベントホールの形状を表１のようにした本発明金型１〜３（本実施例１〜３）と従来金型１，２（従来例１，２）を用いて、タイヤサイズ１７５／７０Ｒ１３のタイヤをそれぞれ各５００本製造した。
【００２１】
製造した各５００本のタイヤにおいて、ベントスピュー切れ発生本数（合計）を調べると共に、トリミング作業を実施し、トリミング刃の交換周期を調べたところ、表１に示す結果を得た。なお、交換周期は、従来金型１で製造したタイヤにおけるトリミング刃の交換周期を１００とする指数で示す。この指数値が小さいほど、交換周期が短く、メンテナンスが煩雑であることを意味する。
【００２２】
【表１】
2010017986.tif 000003
【００２３】
表１から、本発明の金型は、従来金型１に対してベントスピュー切れを大幅に改善することができ、かつトリミング装置のメンテナンス性が従来金型２のように大きく低下するのを回避できることがわかる。
【図面の簡単な説明】
【００２４】
【図１】本発明のタイヤ成型用金型の一実施形態を示す縦断面図である。
【図２】ベントホールの横断面形状を示す拡大断面図である。
【図３】金型離型時に上型のベントホール内のベントスピューに対して作用する剪断力の断面説明図である。
【図４】金型離型時に下型のベントホール内のベントスピューに対して作用する剪断力の断面説明図である。
【図５】ベントホールの横断面形状の他の例を示す拡大断面図である。
【図６】ベントホールの横断面形状の更に他の例を示す拡大断面図である。
【符号の説明】
【００２５】
１  タイヤ成型用金型
２  上型
２ａ  タイヤ成型面
３  下型
３ａ  タイヤ成型面
４  ベントホール
５  ベントスピュー
Ａ  剪断方向
Ｂ  直交する方向
Ｗ１，Ｗ２  幅
【図１】
2010017986.tif 000004
【図２】
2010017986.tif 000005
【図３】
2010017986.tif 000006
【図４】
2010017986.tif 000007
【図５】
2010017986.tif 000008
【図６】
2010017986.tif 000009